(57)【要約】【課題】汎用性及び部品共用可能なカード検知スイッチ機構付きＩＣカード用コネクタを提供する。【解決手段】ＩＣカード用コネクタ１０は、ハウジング１と、ハウジング１にデュアルインライン形に配置される複数対のコンタクト２を備え、ＩＣカードＣ１の表面に形成された金属箔端子Ｔ１に接続する。キャップハウジング３はハウジング１の上面１ａに装着される。コンタクト２は、ハウジング１の上面１ａに突出してＩＣカードＣ１に弾圧される第１接触部２１と、キャップハウジング３に弾圧される第２接触部２２と、ハウジング１に固定される固定部２３を有する。キャップハウジング３は、一対の第２接触部２２・２２を短絡する短絡端子４を有する。【選択図】図１
2008041372.tif 000002
【特許請求の範囲】
【請求項１】
略直方体のハウジングと、所定距離離間して互いに対向して前記ハウジングに並設配置される複数対のコンタクトと、を備え、ＩＣカードの表面に形成された金属箔端子に接続するＩＣカード用コネクタであって、
前記ハウジングの一方の面に装着する長方形板状のキャップハウジングを備え、
前記コンタクトは、中間部に形成され、前記ハウジングの一方の面に隆起するように突出して前記ＩＣカードに弾圧される第１接触部と、先端側に形成され、前記キャップハウジングに弾圧される第２接触部と、基端側に形成され、前記ハウジングに固定される固定部と、を有し、
前記キャップハウジングは、一対の前記第２接触部を短絡する短絡端子を有するＩＣカード用コネクタ。
【請求項２】
前記短絡端子を当該キャップハウジングの任意の位置に装着可能な請求項１記載のＩＣカード用コネクタ。
【請求項３】
前記固定部は、前記ハウジングにモールド固定される請求項１又は２記載のＩＣカード用コネクタ。
【請求項４】
前記コンタクトは、プリント基板にハンダ接合可能なリード部を基端側に有する請求項１から３のいずれかに記載のＩＣカード用コネクタ。
【請求項５】
前記短絡端子に短絡される一対の前記コンタクトは、前記ＩＣカードの装着の有無を検知するスイッチ機構を構成している請求項１から４のいずれかに記載のＩＣカード用コネクタ。
【請求項６】
前記ハウジングは、一方の面の面積が相反する向きに位置する他方の面の面積より狭くなるように形成された段差部と、当該他方の面に開口する収容室と、を有し、
前記段差部に密着する防水リングと、前記収容室の内壁に密着するように収容される防水キャップと、を備える請求項１から５のいずれかに記載のＩＣカード用コネクタ。
【発明の詳細な説明】
【技術分野】
【０００１】
本発明は、ＩＣカード用のコネクタに関する。特に、接触式ＩＣカードの表面に形成された金属箔端子に接続するコネクタであって、ＩＣカードの有無を検知するスイッチ機構を備えるコネクタの構造に関する。
【背景技術】
【０００２】
ＩＣカードは、矩形のプラスチック製カードにＩＣチップが内蔵され、データを記録している。ＩＣカードは、磁気カードに比べて１００倍近いデータを記録でき、データの暗号化や偽造に強いことから、電子マネーや識別カードなどに応用されている。
【０００３】
ＩＣカードは、データを読み書きする方式に違いにより、非接触式と接触式に分類されている。データを微弱な電波で無線交信する非接触式ＩＣカードは、例えば、自動改札システムに利用されている。接触式ＩＣカードは、表面の金属箔端子に接触するコネクタを介して端末機にデータが取得される。接触式ＩＣカードは、例えば、契約者情報を記録したＳＩＭ（Ｓｕｂｓｃｒｉｂｅｒ  Ｉｄｅｎｔｉｔｙ  Ｍｏｄｕｌｅ）カードとして携帯電話機に使われている。
【０００４】
一般に、接触式ＩＣカードに接続するコネクタは、ＩＣカードの有無を検知するスイッチ機構を備えている。ＳＩＭカードなどのＩＣカード用のコネクタとして、コネクタを大型化することなく、簡単な構造で構成できるカード検知スイッチ機構付きのコネクタが発明されている（例えば、特許文献１参照）。
【０００５】
又、ＳＩＭカードなどのＩＣカード用のコネクタとして、比較的小さなスペース内に配置でき、機器の省スペース化及びコスト削減ができ、更に、不用な電流からＩＣカードの回路を保護できるカード検知スイッチ機構付きのコネクタが発明されている（例えば、特許文献２参照）。
【特許文献１】特開２００２−３４３５０５号公報
【特許文献２】特開平９−１２９３１８号公報
【発明の開示】
【発明が解決しようとする課題】
【０００６】
図１５は、特許文献１によるＩＣカード用コネクタの斜視分解組立図である。本願の図１５は、特許文献１の図６に相当している。図１５において、コネクタ８の本体８１は、ベース部８２、一対のフレーム部８３・８５、及びフレーム部８４を備えている。ベース部８２は、合成樹脂などの絶縁材で形成されている。一対のフレーム部８３・８５は、ベース部８２と一体に形成され、ＳＩＭカードＣ２の先端の両角部を位置決め保持する。フレーム部８４は、ＳＩＭカードＣ２の後端の縁部を位置決め保持する。
【０００７】
図１５において、コネクタ８は、ＳＩＭカードＣ２が収納されるカードホルダ８７を備えている。カードホルダ８７は、ＳＩＭカードＣ２を挿脱する挿脱口とは反対側の端部が、一対の軸を介してフレーム部８４の軸孔に回動自在に連結され、収納位置と挿脱位置との間を揺動移動可能に枢支されている。ＳＩＭカードＣ２は、カードホルダ８７が挿脱位置にあるときに、カードホルダ８７の両縁部に形成されたガイドレールによって規制されたホルダ空間内に挿入される。
【０００８】
図１５において、ベース部８２には、所定の間隔を設けてコンタクト群８２１が二列に対向配置されている。コンタクト群８２１は、いわゆるデュアルインライン形に配置されている。コンタクト群８２１は、ＳＩＭカードＣ２の表面に形成された金属箔端子に接触する。各コンタクト８２１は、中間部がベース部８２にモールド固定され、ベース部８２に設けられた開口から突出する接点８２ａを先端部に有し、プリント基板８ｐにハンダ接合されるリード部８２ｂを基端部に有している。
【０００９】
更に、図１５において、ベース部８２には、一対のカード検知接片８２３・８２４が設けられている。これらのカード検知接片８２３・８２４は、中間部がベース部８２にモールド固定され、ベース部８２に設けられた開口から突出し、互いに離接する接点を各先端部に有し、プリント基板８ｐにハンダ接合されるリード部を各基端部に有している。
【００１０】
一対のカード検知接片８２３・８２４の各接点は、ＳＩＭカードＣ２が本体８１に装着されていない状態では互いに離反している。つまり、オフ状態にある。一方、ＳＩＭカードＣ２を本体８１に装着すると、ＳＩＭカードＣ２の金属箔端子が当接部材８２５に当接し、押されてカード検知接片８２４が弾性的に撓む。そして、カード検知接片８２４の接点がカード検知接片８２３の接点に接触する。つまり、オン状態となる。一対のカード検知接片８２３・８２４は、カード検知スイッチ機構を構成している。
【００１１】
特許文献１による発明は、カード検知接片８２４が直接、ＳＩＭカードＣ２の金属箔端子に接触しないように、絶縁材からなる当接部材８２５をカード検知接片８２４にモールド固定してある。
【００１２】
特許文献１による発明は、装着されたカードに押されるカード検知接点の少なくとも一部分に絶縁部材を介在させ、絶縁部材を介してカード検知接点が押されるように形成したので、コンパクトな構成により、カード検知接点がカードに当接するおそれが無いＩＣカード用コネクタのカード検知スイッチ機構を提供できる、としている。
【００１３】
図１６は、特許文献２によるＩＣカード用コネクタの一実施形態を示す図であり、図１６（Ａ）はコネクタの部分拡大図、図１６（Ｂ）は図１６（Ａ）のＸ−Ｘ矢視断面図である。本願の図１６は、特許文献２の図２に相当している。図１６において、コネクタ９は、ハウジング９１と、ハウジング９１に設けられた第１の電源スイッチ用コンタクト９２と、６本の信号用コンタクト９３と、第２の電源スイッチ用コンタクト９４と、を備えている。
【００１４】
図１６において、ハウジング９１には、所定の間隔を設けてコンタクト群９３が二列に対向配置されている。コンタクト群９３は、いわゆるデュアルインライン形に配置されている。コンタクト群９３は、図示されないＳＩＭカードの表面に形成された金属箔端子に接触する。各コンタクト９３は、中間部９３ｃがハウジング９１に固定され、ハウジング９１に設けられた収容溝９５から山形に突出する接点９３ａを一方に有し、図示されないプリント基板にハンダ接合されるリード部９３ｂを他方に有している。
【００１５】
図１６において、第１の電源スイッチ用コンタクト９２は、中間部９２ｃがハウジング９１に固定され、ハウジング９１に設けられた収容溝９５から山形に突出する接点９２ａを一方に有し、図示されないプリント基板にハンダ接合されるリード部９２ｂを他方に有している。これらのコンタクト９２・９３は、上部９１ａから接点９２ａ・９３ａを夫々山形に突出するように収容溝９５に収容されている。又、第２の電源スイッチ用コンタクト９４は、端部をハウジング９１の一側に突出させている。
【００１６】
図１６（Ｂ）に示されるように、接点９２ａは、収容溝９５より上方に山形に突出すると共に、先端部９２ｄは、コンタクト９２の弾性によって上方に付勢され，上部９１ａの下面に設けられた第２の電源コンタクト９４の下面に接触している。又、接点９３ａは、収容溝９５より山型に突出すると共に、先端部９３ｄは、コンタクト９３の弾性によって、上方に付勢され、ハウジング９１の天井部の下面に接触している。更に、第１の電源スイッチ用コンタクトの接点９２ａの高さＨ１は、信号用コンタクトの接点９３ａの高さＨ２よりも若干低く形成されている。
【００１７】
図１６において、ＳＩＭカードを装着すると、ＳＩＭカードに形成された金属箔端子は、信号用コンタクト９３の接点９３ａに接触する。したがって、ＳＩＭカードが接触する際には、まず、接点９３ａに金属箔端子が接触した後、接点９２ａにＳＩＭカードの一面が接触する。一方、ＳＩＭカードを抜去する際には、接点９２ａが上昇してＳＩＭカードの一面から離れた後、接点９３ａから金属箔端子が離れる。
【００１８】
特許文献２による発明は、比較的小さなスペース内に信号用コンタクトと第１及び第２の電源用コンタクトからなるスイッチ回路とを有し、信号用コンタクトと第１の電源用コンタクトとは共通部品であるため、機器の省スペース化及びコスト削減、更に、カードの保護を実現できる、としている。又、信号用と接触子と検出用のスイッチ端子間のカード接触のタイミングをずらすことにより、不用な電流からＩＣカードの回路を保護できるコネクタを提供できる、としている。
【００１９】
しかし、特許文献１及び２によるコネクタは、ＩＣカードの有無を検知するスイッチ用の端子は、取り付け位置が特定されている。例えば、一対の信号用コンタクトをカード検知スイッチとして使用したいという要望もあり、特許文献１及び２によるコネクタは汎用性に欠ける構造となっている。カード検知スイッチ用端子の取り付け位置が汎用性を有するコネクタが好ましい。
【００２０】
又、特許文献１は、一対のカード検知スイッチ用端子が一対の信号用コンタクトと別部品であり、特許文献２は、信号用コンタクトと第１の電源用コンタクトとは共通部品であるが、信号用コンタクトと第２の電源用コンタクトとは別部品である。カード検知スイッチ用端子と信号用コンタクトとを共通部品にすることにより、製造コストを低減できる。カード検知スイッチ用端子と信号用コンタクトとを共通部品とする構造を備えるコネクタが望まれる。
【００２１】
更に、ＩＣカードを差し込む電子機器は、室外での使用や設置も考えられるので、ＩＣカード用コネクタに防水構造を付加することが好ましい。そして、以上のことが本発明の課題といってよい。
【００２２】
本発明は、このような問題に鑑みてなされたものであり、カード検知スイッチ用端子の取り付け位置が汎用性を有し、カード検知スイッチ用端子と信号用コンタクトとを共通部品とする構造を備え、防水構造を付加したＩＣカード用コネクタを提供することを目的とする。
【課題を解決するための手段】
【００２３】
本発明者らは、デュアルインライン形に配置される複数対のコンタクト間に、短絡端子を有するキャップハウジングを介装する構造とすることにより、カード検知スイッチ用端子の汎用化及び部品の共通化が可能なことを見出し、更に、ハウジングの内外にラバー材を設ける防水構造とし、これに基づいて、以下のような新たなＩＣカード用コネクタを発明するに至った。
【００２４】
（１）  略直方体のハウジングと、所定距離離間して互いに対向して前記ハウジングに並設配置される複数対のコンタクトと、を備え、ＩＣカードの表面に形成された金属箔端子に接続するＩＣカード用コネクタであって、前記ハウジングの一方の面に装着する長方形板状のキャップハウジングを備え、前記コンタクトは、中間部に形成され、前記ハウジングの一方の面に隆起するように突出して前記ＩＣカードに弾圧される第１接触部と、先端側に形成され、前記キャップハウジングに弾圧される第２接触部と、基端側に形成され、前記ハウジングに固定される固定部と、を有し、前記キャップハウジングは、一対の前記第２接触部を短絡する短絡端子を有するＩＣカード用コネクタ。
【００２５】
（１）の発明によるＩＣカード用コネクタは、略直方体のハウジングと複数対のコンタクトを備えている。複数対のコンタクトは、所定距離離間して互いに対向してハウジングに並設配置される。そして、ＩＣカード用コネクタは、ＩＣカードの表面に形成された金属箔端子に接続する。又、ＩＣカード用コネクタは、ハウジングの一方の面に装着する長方形板状のキャップハウジングを備えている。
【００２６】
（１）の発明によるＩＣカード用コネクタは、コンタクトが第１及び第２接触部と固定部を有している。第１接触部は、コンタクトの中間部に形成され、ハウジングの一方の面に隆起するように突出し、ＩＣカードに弾圧される。第２接触部は、コンタクトの先端側に形成され、キャップハウジングに弾圧される。固定部は、コンタクトの基端側に形成され、ハウジングに固定される。そして、キャップハウジングは、一対の第２接触部を短絡する短絡端子を有している。
【００２７】
ここで、ハウジング及びキャップハウジングは絶縁性を有している。絶縁性のハウジングとは、非導電性の材料からなるハウジングのことであってよく、合成樹脂を成形して、略直方体の絶縁性のハウジング、又は長方形板状の絶縁性のキャップハウジングを得ることができる。コンタクトは導電性を有しており、導電性の金属板を打ち抜き加工又は折り曲げ加工して、所望の形状の導電性のコンタクトを得ることができる。コンタクトは、機械加工の容易性や、ばね特性、導電性などを考慮すれば、例えば、銅合金が好ましく用いられるが、銅合金に限定される訳ではない。
【００２８】
一般に、ＩＣカードは、絶縁性のプラスチック筐体の内部にＩＣチップが収納されている。このＩＣチップは、筐体の表面に貼り付けられた複数の金属箔に接続されている。そして、複数に区画されたこれらの金属箔がＩＣカードの接続端子となっている。ここで、個別のコンタクトは、個別の金属箔端子と一対一に接続されてよく、機械的及び電気的に接続する。個別のコンタクトは、ハウジングに配置されない空き端子を含んでよく、絶縁性のプラスチック筐体面に弾圧するコンタクトを含んでよい。
【００２９】
複数の金属箔端子は、一般に、対向するように二列に並設配置されている。並設とは、近接して一列に揃え、並べて設けることを意味している。このような複数の金属箔端子の配置に対応して、複数対のコンタクトが対向するように二列に並設配置されている。複数のコンタクトは、いわゆるデュアルインライン形に配置されている。
【００３０】
ハウジングの一方の面とは、コンタクトの第１接触部が突出する面であり、ＩＣカードが装着される面である。このハウジングの一方の面にキャップハウジングが装着される。ハウジングの一方の面の両翼に一対の係止片を設け、キャップハウジングを一対の係止片に着脱自在に装着することが好ましい。誤装着防止のためのキーをキャップハウジングに設けてもよい。
【００３１】
コンタクトは、カンチレバーコンタクトが好ましく用いられる。ここで、カンチレバーコンタクトは、片持ち梁がばねと同じ働きをするコンタクトである。又、カンチレバーコンタクトとなるコンタクトは、板状コンタクトからなり、固定アームと弾性アームを有していると言ってもよく、弾性アームは中間部に隆起する第１接触部を形成する。固定アームに対して、弾性アームが立ち上るように傾斜することが好ましく、第１接触部は、Ｖ字状に屈折されてよく、円弧で屈曲されてよく、第１接触部の頂点がＩＣカードに弾圧される。第２接触部は、第１接触部から反転するように、弾性アームの先端部が屈折されてよく、弾性アームの先端部に設けるボス（突起）を第２接触部としてよく、所定距離離間して互いに対向している一対の第２接触部がキャップハウジングに弾圧される。
【００３２】
固定アームは、固定部がハウジングに圧入されて固定されてよく、後述するように固定部がハウジングにモールド固定されてもよい。又、固定アームの基端部には、後述するようにプリント基板にハンダ接合するためのリード部を設けてもよい。固定アームの基端部には、プリント基板に無ハンダ接合するためのプレスフィットピンを設けてもよい。
【００３３】
短絡端子は、キャップハウジングの板厚面から圧入される導電性の金属板であってよく、キャップハウジングの一方の面の両翼に一対の接点が露出する。そして、この一対の接点が一対の第２接触部に接触して一対の第２接触部を短絡する。短絡端子は、キャップハウジングの表面に接着された銅箔がエッチングされた配線パターンであってもよく、配線パターンの中央部が絶縁すべくマスキングされることが好ましい。ここで、後述するように、短絡端子に短絡される一対のコンタクトは、ＩＣカードの装着の有無を検知するスイッチ機構を構成している。短絡端子に短絡されない複数のコンタクトは信号用のコンタクトとなっている。
【００３４】
（１）の発明によるＩＣカード用コネクタは、当該コネクタを実装する端末機、例えば、車載器にＩＣカードを案内する一対のガイドレールを設けて、当該コネクタの一方の面と平行にＩＣカードを装着してよく、車載器にＩＣカードが収納されるカードホルダを設けて、このカードホルダが回動することにより、ＩＣカードを当該コネクタに装着してもよく、複数の第１接触部がＩＣカードに弾圧される。
【００３５】
ＩＣカードがコネクタに装着されると、信号用のコンタクトは、ＩＣカードの表面に形成された金属箔端子に接続する。ＩＣカードがコネクタに装着されない状態では、スイッチ機構を構成する一対のコンタクトは、一対の第２接触部が短絡端子で相互に導通している。つまり、オン状態となっている。ＩＣカードがコネクタに装着されると、スイッチ機構を構成する一対のコンタクトは一対の、第２接触部が短絡端子から離反し、相互の導通が解除される。つまり、オフ状態となってＩＣカードの装着が検知される。
【００３６】
（１）の発明によるＩＣカード用コネクタは、ＩＣカードの有無を検知するスイッチ用の端子は、取り付け位置が特定されないという利点がある。キャップハウジングに設けられる短絡端子の設置位置を変更することにより、つまり、別のキャップハウジングを交換することにより、一対の信号用コンタクトを、スイッチ機構を構成する一対の端子とすることができる。（１）の発明によるＩＣカード用コネクタは、カード検知スイッチ用端子の取り付け位置が汎用性を有しているということもできる。又、電気回路の設計の自由度を増すことができる。一対の信号用コンタクトをカード検知スイッチとして、変更できるからである。
【００３７】
又、（１）の発明によるＩＣカード用コネクタは、カード検知スイッチ用端子と信号用コンタクトとを共通部品にしており、製造コストの低減に寄与できる。
【００３８】
（２）  前記短絡端子を当該キャップハウジングの任意の位置に装着可能な（１）記載のＩＣカード用コネクタ。
【００３９】
短絡端子を装着できる穴をキャップハウジングに複数形成することにより、短絡端子を当該キャップハウジングの任意の位置に装着できる。
【００４０】
（３）  前記固定部は、前記ハウジングにモールド固定される（１）又は（２）記載のＩＣカード用コネクタ。
【００４１】
コンタクトをハウジングに一体成形することにより、防水機能が増す。
【００４２】
（４）  前記コンタクトは、プリント基板にハンダ接合可能なリード部を基端側に有する（１）から（３）のいずれかに記載のＩＣカード用コネクタ。
【００４３】
（４）の発明によるＩＣカード用コネクタは、プリント基板用のコネクタを実現でき、表面実装形のコネクタを実現できる。
【００４４】
（５）  前記短絡端子に短絡される一対の前記コンタクトは、前記ＩＣカードの装着の有無を検知するスイッチ機構を構成している（１）から（４）のいずれかに記載のＩＣカード用コネクタ。
【００４５】
（６）  前記ハウジングは、一方の面の面積が相反する向きに位置する他方の面の面積より狭くなるように形成された段差部と、当該他方の面に開口する収容室と、を有し、前記段差部に密着する防水リングと、前記収容室の内壁に密着するように収容される防水キャップと、を備える（１）から（５）のいずれかに記載のＩＣカード用コネクタ。
【００４６】
（６）の発明によるＩＣカード用コネクタは、ハウジングが段差部と収容室を有している。段差部は、一方の面の面積が相反する向きに位置する他方の面の面積より狭くなるように形成されている。収容室は、他方の面に開口している。又、（６）の発明によるＩＣカード用コネクタは、防水リングと防水キャップを備えている。防水リングは段差部に密着している。防水キャップは、収容室の内壁に密着するように収容されている。
【００４７】
ハウジングは、一方の面と稜線を共有する四側面に段差部が設けられてよく、この段差部に密着するように防水リングが取り付けられる。防水リングは、四角枠を有する環状であってよく、ラバーなどの気密性を有する弾性材料で形成されることが好ましい。波形に形成される複数の襞を防水リングの外周に設けることにより、本発明によるＩＣカード用コネクタを実装する端末機との防水性を向上できる。
【００４８】
又、ハウジングは、複数のコンタクトが撓む箇所が開口し、収容室に連通している。つまり、収容室は、ハウジングの一方の面に断続的に開口し、ハウジングの他方の面に矩形に開口される。防水キャップは、ハウジングの他方の面から挿入されて収容される。防水キャップは、略直方体であってよく、ラバーなどの気密性を有する弾性材料で形成されることが好ましい。波形に形成される複数の襞を防水キャップの外周に設けることにより、収容室の内壁との気密性を向上できる。防水キャップは、ハウジングの一方の面に形成された断続的開口から、ハウジングの他方の面に対向するプリント基板を防水している。
【００４９】
（６）の発明によるＩＣカード用コネクタは、以上のように防水構造を有しているので、本発明によるＩＣカード用コネクタを実装する電子機器を適宜に防水設計すれば、この電子機器を室外で使用することも可能になる。
【発明の効果】
【００５０】
本発明によるＩＣカード用コネクタは、ＩＣカードの有無を検知するスイッチ用の端子は、取り付け位置が特定されないという利点がある。カード検知スイッチ用端子の取り付け位置が汎用性を有しているということもできる。又、カード検知スイッチ用端子と信号用コンタクトとを共通部品にしており、製造コストの低減に寄与できる。更に、防水構造を有しているので、本発明によるＩＣカード用コネクタを実装する端末機を室外で使用することも可能になる。
【発明を実施するための最良の形態】
【００５１】
以下、図面を参照して本発明を実施するための最良の形態を説明する。
【００５２】
図１は、本発明によるＩＣカード用コネクタ（以下、コネクタと略称する）の一実施形態を示す斜視外観図である。図２は、前記実施形態によるコネクタの斜視分解組立図である。図３は、前記実施形態によるコネクタの平面図である。図４は、前記実施形態によるコネクタの正面図である。図４は、前記実施形態によるコネクタの正面図である。図５は、前記実施形態によるコネクタの縦断面図であり、図４のＸ−Ｘ矢視断面図である。図６は、前記実施形態によるコネクタの縦断面図であり、図４のＹ−Ｙ矢視断面図である。
【００５３】
図７は、前記実施形態によるコネクタの要部拡大縦断面図であり、ＩＣカードが装着されない状態図である。図８は、前記実施形態によるコネクタの要部拡大縦断面図であり、ＩＣカードが装着された状態図である。図９は、前記実施形態によるコネクタのハウジングを示す斜視外観図である。図１０は、前記実施形態によるコネクタのコンタクトを示す斜視外観図である。
【００５４】
図１１は、製造工程で得られる前記実施形態のコンタクトを示す平面図である。図１２は、前記実施形態によるコネクタのキャップハウジングを示す図であり、図１２（Ａ）は平面図、図１２（Ｂ）は正面図、図１２（Ｃ）は、図１２（Ａ）のＸ−Ｘ矢視断面図である。図１３は、前記実施形態によるキャップハウジングの縦断面図であり、短絡端子が装着された状態図である。図１４は、別の実施形態によるキャップハウジングの斜視外観図である。
【００５５】
最初に、本発明によるコネクタの構成を説明する。図１又は図２において、コネクタ１０は、略直方体のハウジング１と、ハウジング１に配置される複数対のコンタクト２・２と、を備えている。複数対のコンタクト２・２は、所定距離離間して互いに対向して、ハウジング１に並設配置される。コネクタ１０は、ＩＣカードＣ１の表面に形成された金属箔端子Ｔ１に接続する。又、コネクタ１０は、ハウジング１の上面１ａに装着する長方形板状のキャップハウジング３を備えている。
【００５６】
図１０において、コンタクト２は、第１接触部２１と、第２接触部２２及び固定部２３を有している。第１接触部は、コンタクト２の中間部に形成され、ハウジング１の上面１ａに隆起するように突出し、ＩＣカードＣ１に弾圧される（図１参照）。第２接触部２２は、コンタクト２の先端側に形成され、一対の第２接触部２２・２２は、所定距離離間して互いに対向している（図７参照）。固定部２３は、コンタクト２の基端側に形成され、ハウジングに固定されている（図７参照）。キャップハウジング３は、一対の第２接触部２２・２２を短絡する短絡端子４を有している（図２及び図７参照）。
【００５７】
図２又は図５において、ハウジング１は、段差部１１と収容室１２を有している。段差部１１は、上面１ａの面積が相反する向きに位置する下面１ｂの面積より狭くなるように、形成されている。収容室１２は、下面１ｂに開口している。又、コネクタ１０は、防水リング５と防水キャップ６を備えている。防水リング５は段差部１１に密着している。防水キャップ６は、収容室１２の内壁に密着するように収容されている。
【００５８】
図９に示されるように、ハウジング１は、絶縁性の合成樹脂を成形して略直方体の形状としている。複数のコンタクト２は、固定部２３がハウジング１に一体でモールド成形されて固定されている（図７参照）。又、コンタクト２は、プリント基板１ｐにハンダ接合可能なリード部２４を基端側に有している（図１及び図１０参照）。
【００５９】
図２又は図１２に示されるように、キャップハウジング３は、絶縁性の合成樹脂を成形して長方形板状の形状としている。キャップハウジング３には、短絡端子４が圧入される穴３１が設けられている（図１３参照）。図１４に示されるように、キャップハウジング３０は、絶縁性の合成樹脂を成形して長方形板状の形状としている。キャップハウジング３０には、短絡端子４が圧入される複数の穴３１１が設けられている。
【００６０】
コンタクト２は、導電性の展開金属板を打ち抜き加工又は折り曲げ加工して、所定の形状のコンタクトを得ている（図１０参照）。コンタクト２は、組み立て前の製造工程では、複数のコンタクト２がピッチＰの間隔でキャリア２ｊに連結されている（図１１参照）。複数のコンタクト２は、キャリア２ｊに連結されたまま、ハウジング１にモールド固定される（図１参照）。そして、モールド固定された後に、キャリア２ｊは、ノッチ２ｋで分離され、除去される（図１１参照）。
【００６１】
図１に示されるように、金属箔端子Ｔ１は、金属箔が複数に区画されている。これらの金属箔は、対向するように二列に並設配置されている。これらの金属箔の配置に対応して、複数のコンタクト２が対向するように二列に並設配置されている。複数のコンタクト２は、いわゆるデュアルインライン形に配置されている。
【００６２】
図１の実施例において、三対のコンタクト２は、対応する個別の金属箔端子Ｔ１に接続する。そして、一対の空き端子を設けて配置された一対のコンタクト２は、ＩＣカードＣ１のプラスチック筐体面を弾圧する。この一対のコンタクト２は、短絡端子４で短絡されている（図７参照）。又、この一対のコンタクト２は、ＩＣカードの有無を検知するスイッチ機構を構成している。
【００６３】
図２又は図７において、ハウジング１の上面１ａには、コンタクト２の第１接触部２１が隆起するように突出している。上面１ａには、ＩＣカードＣ１が装着される（図８参照）。そして、ハウジング１の上面１ａにキャップハウジング３が装着される（図１又は図７参照）。ハウジング１の上面１ａの両翼には、一対の係止片１ｃ・１ｄを設けており、キャップハウジング３を着脱自在に装着できる（図６参照）。
【００６４】
キャップハウジング３は、一方の端部３２が突出しており、ハウジング１への誤挿入を防止するためのキーとなっている（図１２参照）。同様に、キャップハウジング３０は、一方の端部３１２が突出しており、ハウジング１への誤挿入を防止するためのキーとなっている（図１４参照）。なお、キャップハウジング３とキャップハウジング３０は、外形が同じである。
【００６５】
図１０に示されるように、コンタクト２は、片持ち梁がばねと同じ働きをするカンチレバーコンタクトとなっている。コンタクト２は、板状コンタクトからなり、固定アームと弾性アームを有していると言ってもよい。そして、弾性アームは中間部に隆起する第１接触部２１を形成している（図７参照）。固定アームに対して、弾性アームが立ち上るように傾斜し、第１接触部２１は、Ｖ字状に屈折されている。そして、第１接触部２１の頂点がＩＣカードＣ１に弾圧される（図８参照）。
【００６６】
図７及び図８に示されるように、第２接触部２２は、第１接触部２１から反転するように、弾性アームの先端部が屈折されている。そして、所定距離離間して互いに対向している一対の第２接触部２２がキャップハウジング３に弾圧されている（図７参照）。
【００６７】
短絡端子４は、導電性の金属板であって、キャップハウジング３の板厚面から圧入される（図２及び図１３参照）。図１２に示されるように、キャップハウジング３は、両翼が切り欠かれた段差となっており、この段差に短絡端子４が一対の第２接触部２２に接触する接点として露出する。
【００６８】
次に、本発明によるコネクタの作用を説明する。図１において、コネクタ１０は、コネクタ１０を実装する端末機、例えば、車載器にＩＣカードＣ１を案内する一対のガイドレールを設けて、コネクタ１０の上面１ａと平行にＩＣカードＣ１を装着してよく、車載器にＩＣカードＣ１が収納されるカードホルダを設けて、このカードホルダが回動することにより、ＩＣカードＣ１をコネクタ１０に装着してもよく、複数の第１接触部２１がＩＣカードＣ１に弾圧される。
【００６９】
図１において、ＩＣカードＣ１がコネクタ１０に装着されると、信号用の三対のコンタクト２・２は、ＩＣカードＣ１の表面に形成された金属箔端子Ｔ１に接続する。ＩＣカードＣ１がコネクタ１０に装着されない状態では、スイッチ機構を構成する一対のコンタクト２・２は、一対の第２接触部２２が短絡端子４で相互に導通している（図７参照）。つまり、オン状態となっている。
【００７０】
一方、ＩＣカードＣ１がコネクタ１０に装着されると、スイッチ機構を構成する一対のコンタクト２・２は、一対の第２接触部２２・２２が短絡端子４から離反し、相互の導通が解除される（図８参照）。つまり、オフ状態となってＩＣカードＣ１の装着が検知される。
【００７１】
本発明によるＩＣカード用コネクタは、ＩＣカードの有無を検知するスイッチ用の端子は、取り付け位置が特定されないという利点がある。キャップハウジングに設けられる短絡端子の設置位置を変更することにより、つまり、別のキャップハウジングを交換することにより、一対の信号用コンタクトを、スイッチ機構を構成する一対の端子とすることができる。
【００７２】
ここで、キャップハウジング３は、図１４に示されるキャップハウジング３０とすることもできる。キャップハウジング３０は、短絡端子４を装着できる穴３１１をキャップハウジング３０に複数形成することにより、短絡端子４をキャップハウジング３０の任意の位置に圧入できる。
【００７３】
本発明によるＩＣカード用コネクタは、カード検知スイッチ用端子の取り付け位置が汎用性を有しているということもできる。又、電気回路の設計の自由度を増すことができる。一対の信号用コンタクトをカード検知スイッチとして、変更できるからである。又、本発明によるＩＣカード用コネクタは、カード検知スイッチ用端子と信号用コンタクトとを共通部品にしており、製造コストの低減に寄与できる。
【００７４】
次に、防水コネクタとしての本発明によるコネクタの構成と作用を説明する。図２において、ハウジング１は、上面１ａと稜線を共有する四側面に段差部１１が設けられている。段差部１１に密着するように防水リング５が取り付けられる（図１参照）。防水リング５は、四角枠を有する環状であって、ラバーなどの気密性を有する弾性材料で形成されている。波形に形成される複数の襞５１を防水リング５の外周に設けることにより、コネクタ１０を実装する端末機（図示せず）との防水性を向上できる。
【００７５】
又、図５において、ハウジング１は、複数のコンタクト２が撓む箇所が開口し、収容室１２に連通している。収容室１２は、ハウジング１の上面１ａに断続的に開口し、ハウジング１の下面１ｂに矩形に開口される。防水キャップ６は、ハウジング１の下面１ｂから挿入されて収容される。
【００７６】
図２に示されるように、防水キャップ６は、略直方体であって、ラバーなどの気密性を有する弾性材料で形成されている。波形に形成される複数の襞６１を防水キャップ６の外周に設けることにより、収容室１２の内壁との気密性を向上できる（図５及び図６参照）。防水キャップ６は、ハウジング１の上面１ａに形成された断続的開口から、ハウジング１の下面１ｂに対向するプリント基板１ｐを防水している（図１参照）。
【００７７】
本発明によるＩＣカード用コネクタは、以上のように防水構造を有しているので、本発明によるＩＣカード用コネクタを実装する電子機器を適宜に防水設計すれば、この電子機器を室外で使用することや設置することが可能になる。
【００７８】
本発明によるＩＣカード用コネクタは、プリント基板用のコネクタであってよく、表面実装形のコネクタであってよく、防水コネクタであってよく、複数の信号用コンタクトと同じ一対のコンタクトを用いてカード検知スイッチ機構を構成している。本発明によるＩＣカード用コネクタは、ＳＩＭカードを利用する端末機に実装されてよく、室外で利用又は設置される電子機器に実装されてよく、応用範囲の拡大が期待できる。
【図面の簡単な説明】
【００７９】
【図１】本発明によるＩＣカード用コネクタの一実施形態を示す斜視外観図である。
【図２】前記実施形態によるＩＣカード用コネクタの斜視分解組立図である。
【図３】前記実施形態によるＩＣカード用コネクタの平面図である。
【図４】前記実施形態によるＩＣカード用コネクタの正面図である。
【図５】前記実施形態によるＩＣカード用コネクタの縦断面図であり、図４のＸ−Ｘ矢視断面図である。
【図６】前記実施形態によるＩＣカード用コネクタの縦断面図であり、図４のＹ−Ｙ矢視断面図である。
【図７】前記実施形態によるＩＣカード用コネクタの要部拡大縦断面図であり、ＩＣカードが装着されない状態図である。
【図８】前記実施形態によるＩＣカード用コネクタの要部拡大縦断面図であり、ＩＣカードが装着された状態図である。
【図９】前記実施形態によるＩＣカード用コネクタのハウジングを示す斜視外観図である。
【図１０】前記実施形態によるＩＣカード用コネクタのコンタクトを示す斜視外観図である。
【図１１】製造工程で得られる前記実施形態のコンタクトを示す平面図である。
【図１２】前記実施形態によるＩＣカード用コネクタのキャップハウジングを示す図であり、図１２（Ａ）は平面図、図１２（Ｂ）は正面図、図１２（Ｃ）は、図１２（Ａ）のＸ−Ｘ矢視断面図である。
【図１３】前記実施形態によるキャップハウジングの縦断面図であり、短絡端子が装着された状態図である。
【図１４】別の実施形態によるキャップハウジングの斜視外観図である。
【図１５】従来技術によるＩＣカード用コネクタの斜視分解組立図である。
【図１６】従来技術によるＩＣカード用コネクタの一実施形態を示す図であり、図１６（Ａ）はコネクタの部分拡大図、図１６（Ｂ）は図１６（Ａ）のＸ−Ｘ矢視断面図である。
【符号の説明】
【００８０】
１  ハウジング
１ａ  上面（一方の面）
２  コンタクト
３  キャップハウジング
４  短絡端子
１０  コネクタ（ＩＣカード用コネクタ）
２１  第１接触部
２２  第２接触部
２３  固定部
Ｃ１  ＩＣカード
Ｔ１  金属箔端子
【図１】
2008041372.tif 000003
【図２】
2008041372.tif 000004
【図３】
2008041372.tif 000005
【図４】
2008041372.tif 000006
【図５】
2008041372.tif 000007
【図６】
2008041372.tif 000008
【図７】
2008041372.tif 000009
【図８】
2008041372.tif 000010
【図９】
2008041372.tif 000011
【図１０】
2008041372.tif 000012
【図１１】
2008041372.tif 000013
【図１２】
2008041372.tif 000014
【図１３】
2008041372.tif 000015
【図１４】
2008041372.tif 000016
【図１５】
2008041372.tif 000017
【図１６】
2008041372.tif 000018